(57)【要約】【課題】映像を正確に投影する投影装置を提供する。【解決手段】本発明の実施の形態の投影装置は、コンテンツを取得するコンテンツ取得手段と、コンテンツを出力するコンテンツ出力手段と、コンテンツに基づき、映像を投影する投影手段と、コンテンツ出力手段に対して、コンテンツの出力開始又は出力終了を要求する要求制御手段と、ユーザからのコンテンツの切り替え要求を受けて、要求制御手段に対して、コンテンツの切り替え開始又は切り替え終了を通知する通知手段と、を有し、要求制御手段は、通知手段から第１のコンテンツの切り替え開始の通知を受けたとき、第１のコンテンツ出力手段に対して、第１のコンテンツの出力終了を要求し、通知手段から第１のコンテンツの切り替え終了の通知を受けたとき、第２のコンテンツ出力手段に対して、第２のコンテンツの出力開始を要求することにより上記課題を解決する。【選択図】図１
2017163589.tif 000002
【特許請求の範囲】
【請求項１】
コンテンツを取得するコンテンツ取得手段と、
前記コンテンツを出力するコンテンツ出力手段と、
前記コンテンツに基づき、映像を投影する投影手段と、
前記コンテンツ出力手段に対して、前記コンテンツの出力開始又は出力終了を要求する要求制御手段と、
ユーザからの前記コンテンツの切り替え要求を受けて、前記要求制御手段に対して、前記コンテンツの切り替え開始又は切り替え終了を通知する通知手段と、を有し、
前記要求制御手段は、前記通知手段から第１のコンテンツの切り替え開始の通知を受けたとき、第１のコンテンツ出力手段に対して、前記第１のコンテンツの出力終了を要求し、前記通知手段から前記第１のコンテンツの切り替え終了の通知を受けたとき、第２のコンテンツ出力手段に対して、第２のコンテンツの出力開始を要求する
投影装置。
【請求項２】
前記要求制御手段は、前記第２のコンテンツ出力手段に対して、前記第２のコンテンツの出力開始を要求する前に、前記第２のコンテンツの取得を要求する
請求項１に記載の投影装置。
【請求項３】
前記要求制御手段は、前記第１のコンテンツの切り替え終了の通知を受ける前に、前記第１のコンテンツ出力手段に対して、前記第１のコンテンツの出力終了を要求する
請求項１に記載の投影装置。
【請求項４】
コンテンツを含む外部機器と、
前記コンテンツを、前記外部機器より取得するコンテンツ取得手段と、
前記コンテンツを出力するコンテンツ出力手段と、
前記コンテンツに基づき、映像を投影する投影手段と、
前記コンテンツ出力手段に対して、前記コンテンツの出力開始又は出力終了を要求する要求制御手段と、
ユーザからの前記コンテンツの切り替え要求を受けて、前記要求制御手段に対して、前記コンテンツの切り替え開始又は切り替え終了を通知する通知手段と、を有し、
前記要求制御手段は、第１のコンテンツの切り替え開始の通知を受けて、第１のコンテンツ出力手段に対して、前記第１のコンテンツの出力終了を要求し、前記第１のコンテンツの切り替え終了の通知を受けて、第２のコンテンツ出力手段に対して、第２のコンテンツの出力開始を要求する
投影システム。
【請求項５】
前記要求制御手段は、前記第２のコンテンツ出力手段に対して、前記第２のコンテンツの出力開始を要求する前に、前記第２のコンテンツの取得を要求する
請求項４に記載の投影システム。
【請求項６】
前記要求制御手段は、前記第１のコンテンツの切り替え終了の通知を受ける前に、前記第１のコンテンツ出力手段に対して、前記第１のコンテンツの出力終了を要求する
請求項４に記載の投影システム。
【請求項７】
前記第２のコンテンツを、ユーザが、あらかじめ設定した前記外部機器より取得する
請求項４乃至請求項６のいずれか一項に記載の投影システム。
【請求項８】
前記第２のコンテンツを、ユーザが、前回最後に使用した前記外部機器より取得する
請求項４乃至請求項６のいずれか一項に記載の投影システム。
【請求項９】
前記第２のコンテンツを、ユーザが、今回最初に検索した前記外部機器より取得する
請求項４乃至請求項６のいずれか一項に記載の投影システム。
【発明の詳細な説明】
【技術分野】
【０００１】
本発明は、投影装置及び投影システムに関する。
【背景技術】
【０００２】
プロジェクタは、外部サーバ、USBメモリ等の外部機器（入力手段）から映像信号が入力されることにより、スクリーン上に映像を投影する映写機である。通常、プロジェクタは、コンテンツ(静止画或いは動画等)の出力に必要な映像信号を取得するための入力手段を複数有している。ユーザは、複数の入力手段の中から、任意に入力手段を選択し、該入力手段に存在するコンテンツを、スクリーン上に映像として投影する。
【０００３】
ユーザの選択に応じて、自動的に外部機器に存在するコンテンツの出力を開始するプロジェクタは、既に知られている。また、映像信号の入力切り替えを行うシステムと、外部機器に存在するコンテンツの出力を行うシステムとを分離することのできるプロジェクタも既に知られている。
【０００４】
特許文献１には、ユーザが、DVDプレーヤーに対してコンテンツの再生を要求した際に、自動的にテレビの映像が切り替わる技術が開示されている。
【発明の概要】
【発明が解決しようとする課題】
【０００５】
しかしながら、従来のプロジェクタは、入力手段の切り替えを行うシステムと、入力手段に存在するコンテンツの出力を行うシステムとの間で、適切に同期を取ることができていなかった。
【０００６】
このため、従来のプロジェクタは、入力手段の切り替えが終了する（現在のコンテンツの切り替えが終了する）前に、新たなコンテンツを出力してしまっていた。
【０００７】
従って、ユーザは、入力手段の切り替え終了時以後、新たなコンテンツの出力開始時からの映像ではなく、出力途中からの映像を認識しなければならなかった。例えば、コンテンツが動画の場合には、ユーザは、最初の数秒が途切れている動画を認識せざるを得ないという問題があった。
【０００８】
特許文献１においても、コンテンツの再生が開始された後に、テレビの映像が切り替わるため、映像の最初の数秒が途切れてしまうという問題は、解消できていない。
【０００９】
本発明は、上記の課題に鑑みてなされたものであり、映像を正確に投影する投影装置を提供することを目的とする。
【課題を解決するための手段】
【００１０】
上記目的を達成するために、本発明の実施の形態の投影装置は、本発明の実施の形態の投影装置は、コンテンツを取得するコンテンツ取得手段と、コンテンツを出力するコンテンツ出力手段と、コンテンツに基づき、映像を投影する投影手段と、コンテンツ出力手段に対して、コンテンツの出力開始又は出力終了を要求する要求制御手段と、ユーザからのコンテンツの切り替え要求を受けて、要求制御手段に対して、コンテンツの切り替え開始又は切り替え終了を通知する通知手段と、を有し、要求制御手段は、通知手段から第１のコンテンツの切り替え開始の通知を受けたとき、第１のコンテンツ出力手段に対して、第１のコンテンツの出力終了を要求し、通知手段から第１のコンテンツの切り替え終了の通知を受けたとき、第２のコンテンツ出力手段に対して、第２のコンテンツの出力開始を要求することを特徴とする。
【発明の効果】
【００１１】
本発明の実施の形態によれば、映像を正確に投影する投影装置を提供することができる。
【図面の簡単な説明】
【００１２】
【図１】実施形態１に係る投影システムの概略構成を模式的に示した図である。
【図２】実施形態１に係る投影システムにおけるシーケンスの一例を示す図である。
【図３】実施形態２に係る投影システムにおけるシーケンスの一例を示す図である。
【図４】実施形態３に係る投影システムにおけるシーケンスの一例を示す図である。
【図５】実施形態４に係る投影システムにおけるシーケンスの一例を示す図である。
【図６】実施形態５に係る投影システムにおけるシーケンスの一例を示す図である。
【図７】実施形態６に係る投影システムにおけるシーケンスの一例を示す図である。
【発明を実施するための形態】
【００１３】
[実施の形態１]
（投影システム）
図１は、本実施の形態に係る投影システム110の概略構成を模式的に示した図である。
【００１４】
図１に示すように、投影システム110は、投影装置100と、外部機器106を含む。投影装置100と、外部機器106とは、所定の接続ケーブル等を介して接続されていても良い。また、接続ケーブル等を介さずに無線で相互に通信を行っても良い。
【００１５】
外部機器106は、複数の入力手段を含む。本実施の形態では、入力手段として、外部サーバ106a及びUSB（Universal Serial Bus）メモリ106bを利用する場合について説明するが、入力手段は、特に限定されない。
【００１６】
例えば、入力手段として、パーソナルコンピュータ、PDA(Personal Digital Assistant)、デジタルカメラ、外部ストレージ、インターネット等のネットワークに接続されたサーバ、等を利用しても良い。
【００１７】
複数の入力手段には、それぞれコンテンツが存在する。各入力手段は、該コンテンツを、投影装置に含まれるコンテンツ取得手段に対して出力する。従って、ユーザは、複数の入力手段の中から、所望のコンテンツを含む入力手段を選択することで、所望の映像を投影装置に投影することができる。
【００１８】
また、ユーザが、入力手段を切り替えることで、投影装置100は、現在のコンテンツの切り替えを行い、切り替え終了後に、新たなコンテンツを出力することで、ユーザの所望の映像を正確に投影することができる。
【００１９】
投影装置100は、投影手段101、コンテンツ取得手段102、コンテンツ出力手段103、通知手段104、要求制御手段105を含む。
【００２０】
投影手段101は、外部機器106に含まれる複数の入力手段（例えば、外部サーバ106a、USBメモリ106b）に存在するそれぞれのコンテンツに基づく出力を、コンテンツ出力手段103より取得し、該出力に基づき、光源等を利用して、映像の投影或いは非投影を行う。
【００２１】
コンテンツ取得手段102は、複数の入力手段に存在するそれぞれのコンテンツを取得する。該コンテンツは、特に限定されず、動画であっても良いし、静止画であっても良い。
【００２２】
コンテンツ取得手段102は、各入力手段に対応して、設けられている。入力手段の一つが外部サーバ106aである場合は、外部サーバ106aに対応して第１のコンテンツ取得手段102aが設けられる。第１のコンテンツ取得手段102aが取得するコンテンツを第１のコンテンツ108aとする。また、入力手段の一つがUSBメモリ106bである場合は、USBメモリ106bに対応して第２のコンテンツ取得手段102bが設けられる。第２のコンテンツ取得手段102bが取得するコンテンツを第２のコンテンツ108bとする。
【００２３】
コンテンツ出力手段103は、要求制御手段105からの要求に基づき、コンテンツ取得手段102より取得したコンテンツの出力或いは非出力を行う。
【００２４】
コンテンツ出力手段103も、コンテンツ取得手段102と同様に、各入力手段に対応して、設けられている。入力手段の一つが外部サーバ106aである場合は、外部サーバ106aに対応して第１のコンテンツ出力手段103aが設けられる。また、入力手段の一つがUSBメモリ106bである場合は、USBメモリ106bに対応して第２のコンテンツ出力手段103bが設けられる。
【００２５】
具体的な例を挙げて説明すると、第１のコンテンツ出力手段103aは、要求制御手段105からの第１のコンテンツ108a出力終了要求を受けた場合、第１のコンテンツ取得手段102aに対して、第１のコンテンツ108aの取得終了を要求する。また、第２のコンテンツ出力手段103bは、要求制御手段105からの第２のコンテンツ108b出力開始要求を受けた場合、第２のコンテンツ取得手段102bに対して、第２のコンテンツ108bの取得開始を要求する。
【００２６】
更に、第１のコンテンツ出力手段103aは、第１のコンテンツ108aの取得終了を要求制御手段105に通知し、投影手段101に対して、投影終了を通知し、映像の投影を終了する。また、第２のコンテンツ出力手段103bは、第２のコンテンツ108bの取得開始を要求制御手段105に通知し、投影手段101に対して、投影開始を通知し、映像の投影を開始する。
【００２７】
通知手段104は、ユーザからの、入力手段の切り替え要求を受けて、入力手段の切り替えを行う。具体的には、要求制御手段105に対して、ユーザからの切り替え要求に基づいて、切り替え処理を開始したこと、或いは切り替え処理を終了したことを通知する。入力手段を切り替えることで、第１のコンテンツ108aから第２のコンテンツ108bへとコンテンツを切り替えることができるため、ユーザは、コンテンツを切り替えたいタイミングで、通知手段104に対して切り替え要求を与えれば良い。
【００２８】
要求制御手段105は、コンテンツ出力手段103に対して、コンテンツの出力開始、又は出力終了を要求する。
【００２９】
具体的な例を挙げて説明すると、要求制御手段105は、通知手段104からの切り替え開始通知を受けて、第１のコンテンツ出力手段103aに対して、第１のコンテンツ108a（現在のコンテンツ）の出力終了を要求する。また、要求制御手段105は、通知手段104からの切り替え終了通知を受けて、第２のコンテンツ出力手段103bに対して、第２のコンテンツ108b（新たなコンテンツ）の出力開始を要求する。
【００３０】
即ち、要求制御手段105は、ユーザのコンテンツ切り替え要求に基づく、通知手段104からの切り替え開始通知、或いは切り替え終了通知を受けて、コンテンツ出力手段103に対して、現在のコンテンツの出力終了或いは新たなコンテンツの出力開始を要求する。
【００３１】
従って、投影装置100は、通知手段104とコンテンツ出力手段103（例えば、第１のコンテンツ出力手段103a、第２のコンテンツ出力手段103b）との間において、同期を取ることができる。即ち、入力手段の切り替えを行うシステムと、外部機器106に存在するコンテンツ（例えば、第１のコンテンツ108a、第２のコンテンツ108b）の出力を行うシステムとの間で同期をとることができる。このため、投影装置100は、入力手段の切り替えが終了するのを待って、新たなコンテンツの出力を開始することができる。
【００３２】
本実施の形態に係る投影システム110よれば、ユーザが任意に、入力手段を切り替えても、入力手段を切り替える間に、新たなコンテンツの出力が開始されることがない。このため、例えば、外部機器106より取得したコンテンツが動画の場合であっても、投影装置100に投影させる際、映像の最初の数秒が途切れてしまうという不具合を防ぐことができる。即ち、該システムによれば、ユーザが、任意に入力手段を切り替えても、投影装置100において、ユーザの所望の映像を、正確に投影することができる。
【００３３】
（投影システムのシーケンス）
本実施の形態に係る投影システム110におけるシーケンスの一例について、図２を用いて、具体的に説明する。
【００３４】
投影システム110のシーケンスは、図２に示す様に、シーケンス1からシーケンス13を含む。
【００３５】
なお、外部機器の数や種類は、特に限定されないが、上述の様に本実施の形態では、外部機器として、外部サーバ106a及びUSBメモリ106bを利用するものとする。
【００３６】
また、外部サーバ106aに存在するコンテンツを取得する手段を、第１のコンテンツ取得手段102aとし、該コンテンツを、第１のコンテンツ108aとする。また、第１のコンテンツ108aを出力する手段を、第１のコンテンツ出力手段103aとする。同様に、USBメモリ106bに存在するコンテンツを取得する手段を、第２のコンテンツ取得手段102bとし、該コンテンツを、第２のコンテンツ108bとする。また、第２のコンテンツ108bを出力する手段を、第２のコンテンツ出力手段103bとする。
【００３７】
まず、シーケンス開始前の前提として、投影装置100は、外部サーバ106aに存在する第１のコンテンツ108aを取得し、第１のコンテンツ108aに基づく映像を、投影しているものとする。
【００３８】
シーケンス１：ユーザが、通知手段104に対して、入力手段の切り替え、即ち、入力手段の、外部サーバ106aから、USBメモリ106bへの切り替えを要求する。
【００３９】
シーケンス2：通知手段104は、入力手段の切り替え処理を開始する。
【００４０】
シーケンス3：通知手段104は、ユーザからの切り替え要求に基づき、要求制御手段105に対して、外部サーバ106aから、USBメモリ106bへと入力手段の切り替えを開始したことを通知する。
【００４１】
シーケンス4：要求制御手段105は、第１のコンテンツ出力手段103aに対して、第１のコンテンツ108aの出力終了を要求する。要求制御手段105は、入力手段の切り替え開始の通知を受けて、外部サーバ106aに存在する第１のコンテンツ108a（現在のコンテンツ）の出力終了を要求する。
【００４２】
シーケンス5：第１のコンテンツ出力手段103aは、第１のコンテンツ取得手段102aに対して、第１のコンテンツ108aの取得終了を要求する。このシーケンスは、例えば、第１のコンテンツ108aが静止画の場合等は省略してもよい。第１のコンテンツ取得手段102aが、一旦、外部サーバ106aに存在する静止画のコンテンツを取得してしまえば、その後、第１のコンテンツ取得手段102aと外部サーバ106aとの間でのやり取りを、継続しなくても、投影装置100は、静止画を投影することが可能だからである。
【００４３】
シーケンス6：第１のコンテンツ出力手段103aは、第１のコンテンツ取得手段102aより取得している第１のコンテンツ108aの出力を終了する。
【００４４】
シーケンス7：第１のコンテンツ出力手段103aは、要求制御手段105に対して、第１のコンテンツ取得手段102aより取得している第１のコンテンツ108aの出力終了を通知する。また、投影手段101に対して、第１のコンテンツ108aの投影終了を通知する。
【００４５】
シーケンス8：通知手段104は、要求制御手段105に対して、外部サーバ106aから、USBメモリ106bへの入力手段の切り替えが終了したことを通知する。
【００４６】
シーケンス9：要求制御手段105は、第２のコンテンツ出力手段103bに対して、第２のコンテンツ108bの出力開始を要求する。要求制御手段105は、入力手段の切り替え終了の通知を受けて、USBメモリ106bに存在する第２のコンテンツ108b（新たなコンテンツ）の出力開始を要求する。
【００４７】
シーケンス10：第２のコンテンツ出力手段103bは、第２のコンテンツ取得手段102bに対して、第２のコンテンツ108bの取得開始を要求する。
【００４８】
シーケンス11：第２のコンテンツ取得手段102bは、USBメモリ106bに存在する第２のコンテンツ108bを取得する。
【００４９】
シーケンス12：第２のコンテンツ出力手段103bは、第２のコンテンツ取得手段102bより取得している第２のコンテンツ108bの出力を開始する。
【００５０】
シーケンス13：第２のコンテンツ出力手段103bは、要求制御手段105に対して、第２のコンテンツ取得手段102bより取得している第２のコンテンツ108bの出力開始を通知する。また、投影手段101に対して、第２のコンテンツ108bの投影開始を通知する。
【００５１】
上述のシーケンスによれば、入力手段の切り替えの間に、要求制御手段105が、第１のコンテンツ出力手段103aに対して、現在のコンテンツの出力終了を要求し、且つ第２のコンテンツ出力手段103bに対して、新たなコンテンツの出力開始を要求している。従って、ユーザが任意に入力手段を切り替えた場合であっても、投影装置は、入力手段の切り替えを待って、新たなコンテンツの出力を行うことができる。即ち、投影装置100において、映像の最初の数秒が途切れるという不具合が発生するのを防ぐことができるため、ユーザは、入力手段の切り替え終了時以後、新たなコンテンツの出力開始時からの映像を認識することができる。
【００５２】
[実施の形態２]
本実施の形態では、実施の形態１とは異なるシーケンスの一例について、図３を用いて、具体的に説明する。
【００５３】
図３において、図２と同一のシーケンスには、同一符号を付し、重複した説明を省略する。
【００５４】
投影システム110のシーケンスは、図３に示す様に、シーケンス1からシーケンス14を含む。
【００５５】
なお、図３では、外部機器として、外部サーバ106a及びUSBメモリ106bを利用するものとする。
【００５６】
シーケンス1からシーケンス7までは、図２と同一であるため、説明を省略する。
【００５７】
シーケンス8：要求制御手段105は、第１のコンテンツ出力手段103aに対して、外部サーバ106aに存在する第１のコンテンツ108aの出力終了を要求した後、第２のコンテンツ出力手段103bに対して、USBメモリ106bに存在する第２のコンテンツ108bの取得を要求する。
【００５８】
シーケンス9：第２のコンテンツ出力手段103bは、第２のコンテンツ取得手段102bに対して、第２のコンテンツ108bの取得開始を要求する。
【００５９】
シーケンス10：第２のコンテンツ出力手段103bは、USBメモリ106bに存在する第２のコンテンツ108bを取得する。
【００６０】
シーケンス11：要求制御手段105は、第２のコンテンツ出力手段103bより、USBメモリ106bに存在する第２のコンテンツ108bの取得が完了したという通知を受ける。また、要求制御手段105は、通知手段104より、外部サーバ106aから、USBメモリ106bへの入力手段の切り替えが終了したという通知を受ける。
【００６１】
シーケンス12：要求制御手段105は、これらの通知を受けた事を条件にして、第２のコンテンツ出力手段103bに対して、第２のコンテンツ108bの出力開始を要求する。
【００６２】
シーケンス13：第２のコンテンツ出力手段103bは、あらかじめ第２のコンテンツ取得手段102bより取得している第２のコンテンツ108bの出力を開始する（シーケンス9、10参照）。
【００６３】
シーケンス14：第２のコンテンツ出力手段103bは、要求制御手段105に対して、第２のコンテンツ取得手段102bより取得している第２のコンテンツ108bの出力開始を通知する。また、投影手段101に対して、第２のコンテンツ108bの投影開始を通知する。
【００６４】
上述のシーケンスによれば、要求制御手段105が、第２のコンテンツ出力手段103bに対して、第２のコンテンツ108bの出力開始を要求する前に、第２のコンテンツ出力手段103bに対して、第２のコンテンツ108bの取得開始を要求している。このため、投影装置100は、入力手段の切り替えが終了した後、即座に新たなコンテンツの出力を開始することができる。
【００６５】
[実施の形態３]
本実施の形態では、実施の形態１とは異なるシーケンスの一例について、図４を用いて、具体的に説明する。
【００６６】
図４において、図２と同一のシーケンスには、同一符号を付し、重複した説明を省略する。
【００６７】
投影システム110のシーケンスは、図４に示す様に、シーケンス1からシーケンス16を含む。
【００６８】
なお、図４では、外部機器として、外部サーバ106a及びあらかじめユーザにより設定された外部サーバ106cを利用するものとする。外部サーバ106aに対応して、第１のコンテンツ出力手段103a及び第１のコンテンツ取得手段102aが設けられているものとする。第１のコンテンツ取得手段102aが取得するコンテンツを第１のコンテンツ108aとする。また、外部サーバ106cに対応して、第２のコンテンツ出力手段103c及び第２のコンテンツ取得手段102cが設けられているものとする。また、第２のコンテンツ取得手段102cが取得するコンテンツを第２のコンテンツ108cとする。
【００６９】
シーケンス1からシーケンス7までは、図２と同一であるため、説明を省略する。
【００７０】
シーケンス8：通知手段104は、要求制御手段105に対して、入力手段の切り替えが終了したことを通知する。
【００７１】
シーケンス9：要求制御手段105は、第２のコンテンツ出力手段103cに対して、第２のコンテンツ108cの出力開始を要求する。
【００７２】
シーケンス10：第２のコンテンツ出力手段103cは、第２のコンテンツ取得手段102cに対して、コンテンツ取得先となる入力手段の検索を要求する。該入力手段は、あらかじめユーザにより設定された外部サーバ106cとする。
【００７３】
シーケンス11：検索された入力手段の一つが、あらかじめユーザにより設定された外部サーバ106cと一致した場合、第２のコンテンツ出力手段103cは、第２のコンテンツ取得手段102cに対して、第２のコンテンツ108cの取得開始を要求する。
【００７４】
シーケンス12：第２のコンテンツ出力手段103cは、外部サーバ106cに存在する第２のコンテンツ108cを取得する。なお、ユーザが、外部サーバ106cを特定するために、あらかじめ設定しておく情報は、特に限定されない。例えば、外部サーバ106cのIPアドレス或いはサーバ名等をあらかじめ設定しておくことが好ましい。
【００７５】
シーケンス13：第２のコンテンツ出力手段103cは、第２のコンテンツ取得手段102cより取得している第２のコンテンツ108cの出力を開始する。
【００７６】
シーケンス14：第２のコンテンツ出力手段103cは、要求制御手段105に対して、第２のコンテンツ取得手段102cより取得している第２のコンテンツ108cの出力開始を通知する。また、投影手段101に対して、第２のコンテンツ108cの投影開始を通知する。
【００７７】
シーケンス15：検索された入力手段の一つが、あらかじめユーザにより設定された外部サーバ106cと一致しなかった場合、第２のコンテンツ出力手段103cは、コンテンツ取得先となる入力手段の一覧の出力を開始する。ユーザは、該出力に基づいて、入力手段の一覧の中から、所望の入力手段を選択する。
【００７８】
シーケンス16：第２のコンテンツ出力手段103cは、要求制御手段105に対して、ユーザが選択した入力手段に存在する第２のコンテンツ108cの出力開始を通知する。また、投影手段101に対して、該コンテンツの投影開始を通知する。
【００７９】
なお、図４に示すシーケンスでは、図２に示すシーケンスと同様に、要求制御手段105が、通知手段104からの入力手段の切り替え終了通知を受けた後に、第２のコンテンツ出力手段103cに対して、第２のコンテンツ108cの出力開始を要求し、第２のコンテンツ取得手段102cに対して、第２のコンテンツ108cの取得開始を要求しているが、このシーケンスに限定されない。例えば、図３に示すシーケンスと同様に、要求制御手段105が、第２のコンテンツ出力手段103cに対して、第２のコンテンツ108cの取得開始を要求した後に、通知手段104からの入力手段の切り替え終了通知を受けて、再び第２のコンテンツ出力手段103cに対して、第２のコンテンツ108cの出力開始を要求しても良い。
【００８０】
上述のシーケンスによれば、ユーザがあらかじめ第２のコンテンツ108cの取得先となる入力手段を設定しておき、該入力手段に存在する第２のコンテンツ108cを出力することで、ユーザがコンテンツの取得先を検索する手間を省くことができる。また、あらかじめ設定された情報に基づき検索された入力手段より、自動的にコンテンツを、取得することができるため、コンテンツの取得に要する時間を短縮することもできる。更に、入力手段をユーザがあらかじめ明示的に設定することが可能であるため、投影装置100は、ユーザの要求に適した映像を素早く正確に投影することができる。
【００８１】
[実施の形態４]
本実施の形態では、実施の形態１とは異なるシーケンスの一例について、図５を用いて、具体的に説明する。
【００８２】
図５において、図４と同一のシーケンスには、同一符号を付し、重複した説明を省略する。
【００８３】
投影システム110のシーケンスは、図４に示す様に、シーケンス1からシーケンス16を含む。
【００８４】
なお、図５では、外部機器として、外部サーバ106a及び前回最後に使用した外部サーバ106dを利用するものとする。外部サーバ106aに対応して、第１のコンテンツ出力手段103a及び第１のコンテンツ取得手段102aが設けられているものとする。また、第１のコンテンツ取得手段102aが取得するコンテンツを第１のコンテンツ108aとする。外部サーバ106dに対応して、第２のコンテンツ出力手段103d及び第２のコンテンツ取得手段102dが設けられているものとする。また、第２のコンテンツ取得手段102dが取得するコンテンツを第２のコンテンツ108dとする。
【００８５】
シーケンス1からシーケンス9までは、図４と同一であるため、説明を省略する。
【００８６】
シーケンス10：第２のコンテンツ出力手段103dは、第２のコンテンツ取得手段102dに対して、コンテンツ取得先となる入力手段の検索を要求する。該入力手段は、第２のコンテンツ出力手段103dが、前回最後に使用した外部サーバ106dとする。なお、前回使用した外部サーバ106dを特定するための情報は、特に限定されない。
【００８７】
シーケンス11：検索された入力手段の一つが、前回最後に使用した外部サーバ106dと一致した場合、第２のコンテンツ出力手段103dは、第２のコンテンツ取得手段102cに対して、第２のコンテンツ108dの取得開始を要求する。
【００８８】
シーケンス12：第２のコンテンツ出力手段103dは、外部サーバ106dに存在する第２のコンテンツ108dを取得する。
【００８９】
シーケンス13：第２のコンテンツ出力手段103dは、第２のコンテンツ取得手段102dより取得している第２のコンテンツ108dの出力を開始する。
【００９０】
シーケンス14：第２のコンテンツ出力手段103dは、要求制御手段105に対して、第２のコンテンツ取得手段102dより取得している第２のコンテンツ108dの出力開始を通知する。また、投影手段101に対して、第２のコンテンツ108dの投影開始を通知する。
【００９１】
シーケンス15：検索された入力手段の一つが、前回最後に使用した外部サーバ106dと一致しなかった場合、第２のコンテンツ出力手段103cは、コンテンツ取得先となる入力手段の一覧の出力を開始する。
【００９２】
シーケンス16：第２のコンテンツ出力手段103cは、要求制御手段105に対して、ユーザが選択した入力手段に存在するコンテンツの出力開始を通知する。また、投影手段101に対して、該コンテンツの投影開始を通知する。
【００９３】
なお、図５に示すシーケンスでは、図２に示すシーケンスと同様に、要求制御手段105が、通知手段104からの入力手段の切り替え終了通知を受けた後に、第２のコンテンツ出力手段103eに対して、第２のコンテンツ108eの出力開始を要求し、第２のコンテンツ取得手段102eに対して、第２のコンテンツ108eの取得開始を要求しているが、このシーケンスに限定されない。例えば、図３に示すシーケンスと同様に、要求制御手段105が、第２のコンテンツ出力手段103eに対して、第２のコンテンツ108eの取得開始を要求した後に、通知手段104からの入力手段の切り替え終了通知を受けて、再び第２のコンテンツ出力手段103eに対して、第２のコンテンツ108eの出力開始を要求しても良い。
【００９４】
上述のシーケンスによれば、前回最後に使用した外部サーバの情報を、第２のコンテンツ出力手段103eに、記憶させておくことで、前回最後に使用したコンテンツを利用することができる。また、ユーザが新たなコンテンツの取得先を検索する手間を省くことができ、新たなコンテンツの取得に要する時間を短縮することができる。
【００９５】
[実施の形態５]
本実施の形態では、実施の形態１とは異なるシーケンスの一例について、図６を用いて、具体的に説明する。
【００９６】
図６において、図４と同一のシーケンスには、同一符号を付し、重複した説明を省略する。
【００９７】
投影システム110のシーケンスは、図６に示す様に、シーケンス1からシーケンス14を含む。
【００９８】
なお、図６では、外部機器として、外部サーバ106a及びコンテンツ取得手段が、今回最初に検索した外部サーバ106eを利用するものとする。外部サーバ106aに対応して、第１のコンテンツ出力手段103a及び第１のコンテンツ取得手段102aが設けられているものとする。また、第１のコンテンツ取得手段102aが取得するコンテンツを第１のコンテンツ108aとする。外部サーバ106eに対応して、第２のコンテンツ出力手段103e及び第２のコンテンツ取得手段102eが設けられているものとする。また、第２のコンテンツ取得手段102eが取得するコンテンツを第２のコンテンツ108eとする。
【００９９】
シーケンス1からシーケンス9までは、図４と同一であるため、説明を省略する。
【０１００】
シーケンス10：第２のコンテンツ出力手段103eは、第２のコンテンツ取得手段102eに対して、コンテンツ取得先となる入力手段の検索を要求する。該入力手段は、第２のコンテンツ取得手段102cが、今回最初に検索した外部サーバ106eとする。第２のコンテンツ出力手段103eは、コンテンツ取得先となる入力手段を１つ検索した時点で検索を中止する。該入力手段が、外部サーバ106eとなる。
【０１０１】
シーケンス11：第２のコンテンツ出力手段103eは、第２のコンテンツ取得手段102cに対して、今回最初に検索した外部サーバ106eに存在する第２のコンテンツ108eの取得開始を要求する。
【０１０２】
シーケンス12：第２のコンテンツ出力手段103eは、外部サーバ106eに存在する第２のコンテンツ108eを取得する。
【０１０３】
シーケンス13：第２のコンテンツ出力手段103eは、第２のコンテンツ取得手段102eより取得している第２のコンテンツ108eの出力を開始する。
【０１０４】
シーケンス14：第２のコンテンツ出力手段103eは、要求制御手段105に対して、第２のコンテンツ取得手段102eより取得しているコンテンツの出力開始を通知する。また、投影手段101に対して、第２のコンテンツ108eの投影開始を通知する。
【０１０５】
なお、シーケンス10において、今回最初に検索した外部サーバ106eに存在する第２のコンテンツ108eが、出力不可能なコンテンツである場合は、次に検索した外部サーバを、コンテンツ取得先となる入力手段とする。確実に、出力可能なコンテンツを利用することで、投影装置において投影する映像の精度を高めることができる。
【０１０６】
なお、シーケンス10において、第２のコンテンツ出力手段103eは、前回の出力時に最後に出力したコンテンツの情報を記憶しておくこともできる。第２のコンテンツ取得手段102eがコンテンツの取得を開始する際に、第２のコンテンツ出力手段103eは、第２のコンテンツ取得手段102eに対して、前回の出力時に最後に出力したコンテンツを取得するように要求することも可能である。この場合、第２のコンテンツ出力手段103eは、前回の出力時に最後に出力したコンテンツから出力を開始する。第２のコンテンツ出力手段103eが、前回の出力時に最後に出力したコンテンツを記憶することで、該コンテンツを再び利用する際の時間短縮を図ることができる。
【０１０７】
例えば、投影装置を用いたプレゼンテーションにおいて、説明者が、ある映像を投影途中で説明を中断し、異なる映像に切り替えて、他の説明をした後に、再び元の映像に戻して説明を再開する場合等には、効果を発揮できる。
【０１０８】
[実施の形態６]
本実施の形態では、実施の形態１とは異なるシーケンスの一例について、図７を用いて、具体的に説明する。
【０１０９】
図７において、図２と同一のシーケンスには、同一符号を付し、重複した説明を省略する。
【０１１０】
投影システム110のシーケンスは、図７に示す様に、シーケンス1からシーケンス14を含む。
【０１１１】
なお、図７では、外部機器として、外部サーバ106a及びUSBメモリ106bを利用するものとする。図２と同様に、第１のコンテンツ出力手段103a、第１のコンテンツ取得手段102a、第２のコンテンツ出力手段103b、第２のコンテンツ取得手段102bが設けられている。
【０１１２】
まず、シーケンス開始前の前提として、投影装置100は、外部サーバ106aに存在する第１のコンテンツ108aを取得し、該コンテンツに基づく映像を、投影しているものとする。
【０１１３】
シーケンス１：ユーザが、通知手段104に対して、入力手段の切り替え、即ち、入力手段の、外部サーバ106aから、USBメモリ106bへの切り替えを要求する。
【０１１４】
シーケンス2：通知手段104は、実際に、入力手段の切り替え処理を開始する前に、要求制御手段105に対して、外部サーバ106aから、USBメモリ106bへと入力手段の切り替えを開始することを通知する。
【０１１５】
シーケンス3：要求制御手段105は、第１のコンテンツ出力手段103aに対して、第１のコンテンツ108aの出力終了を要求する。
【０１１６】
シーケンス4：第１のコンテンツ出力手段103aは、第１のコンテンツ取得手段102aに対して、第１のコンテンツ108aの取得終了を要求する。
【０１１７】
シーケンス5：第１のコンテンツ出力手段103aは、第１のコンテンツ取得手段102aより取得している第１のコンテンツ108aの出力を終了する。
【０１１８】
シーケンス6：第１のコンテンツ出力手段103aは、要求制御手段105に対して、第１のコンテンツ取得手段102aより取得している第１のコンテンツ108aの出力終了を通知する。また、投影手段101に対して、第１のコンテンツ108aの投影終了を通知する。
【０１１９】
シーケンス7：要求制御手段105は、第１のコンテンツ出力手段103aからの第１のコンテンツ108aの出力終了の通知を受けた事を条件にして、通知手段104に対して切り替え準備が完了したことを通知する。
【０１２０】
シーケンス8：通知手段104は、入力手段の切り替え処理を開始する。
【０１２１】
シーケンス9：通知手段104は、要求制御手段105に対して、外部サーバ106aから、USBメモリ106bへの入力手段の切り替えが終了したことを通知する。
【０１２２】
シーケンス10からシーケンス14までは、図２と同一であるため、説明を省略する。
【０１２３】
上述のシーケンスによれば、入力手段の切り替え処理に要する時間が、外部サーバ106aに存在するコンテンツの出力を完全に終了するまでに要する時間より短い場合であっても、入力手段の切り替え後には、必ずUSBメモリ106bに存在するコンテンツを出力することができる。従って、このような場合において通常発生する、入力手段の切り替え後であるにも関わらず、USBメモリ106bに存在するコンテンツではなく、外部サーバ106aに存在するコンテンツが出力されてしまうという不具合を解消することができる。
【０１２４】
以上、好ましい実施の形態について詳述したが、上述した実施の形態に限定されるものではなく、特許請求の範囲に記載された範囲を逸脱することなく、上述した実施の形態に種々の変形、及び変更を加えることができる。
【符号の説明】
【０１２５】
100  投影装置
101  投影手段
102  コンテンツ取得手段
103  コンテンツ出力手段
104  通知手段
105  要求制御手段
106  外部機器
110  投影システム
【先行技術文献】
【特許文献】
【０１２６】
【特許文献１】特開２００７−０６７９４７号公報
【図１】
2017163589.tif 000003
【図２】
2017163589.tif 000004
【図３】
2017163589.tif 000005
【図４】
2017163589.tif 000006
【図５】
2017163589.tif 000007
【図６】
2017163589.tif 000008
【図７】
2017163589.tif 000009
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
外部機器からのコンテンツを出力する投影装置であって、
前記コンテンツの出力の開始又は終了を要求する要求制御手段と、
前記要求制御手段からの要求に応じて、前記コンテンツの切り替え開始又は切り替え終了を通知する通知手段と、を有し、
前記通知手段から第１のコンテンツの切り替え開始の通知を受けたとき、前記第１のコンテンツの出力終了を要求し、前記通知手段から前記第１のコンテンツの切り替え終了の通知を受けたとき、第２のコンテンツの出力開始を要求する投影装置。
【請求項２】
前記要求制御手段は、前記第２のコンテンツの出力開始を要求する前に、前記第２のコンテンツの取得を要求する請求項１に記載の投影装置。
【請求項３】
前記要求制御手段は、前記第１のコンテンツの切り替え終了の通知を受ける前に、前記第１のコンテンツの出力終了を要求する請求項１に記載の投影装置。
【請求項４】
外部機器からのコンテンツを出力する投影方法であって、
前記コンテンツの出力の開始又は終了を要求する要求制御手順と、
前記要求制御手順による要求に応じて、前記コンテンツの切り替え開始又は切り替え終了を通知する通知手順と、を実行し、
前記通知手順により第１のコンテンツの切り替え開始の通知を受けたとき、前記第１のコンテンツの出力終了を要求し、前記通知手順により前記第１のコンテンツの切り替え終了の通知を受けたとき、第２のコンテンツの出力開始を要求する投影方法。
【手続補正３】
【補正対象書類名】明細書
【補正対象項目名】０００１
【補正方法】変更
【補正の内容】
【０００１】
本発明は、投影装置及び投影方法に関する。
【手続補正４】
【補正対象書類名】明細書
【補正対象項目名】００１０
【補正方法】変更
【補正の内容】
【００１０】
上記目的を達成するために、本発明の実施の形態の投影装置は、外部機器からのコンテンツを出力する投影装置であって、コンテンツの出力の開始又は終了を要求する要求制御手段と、要求制御手段からの要求に応じて、コンテンツの切り替え開始又は切り替え終了を通知する通知手段と、を有し、通知手段から第１のコンテンツの切り替え開始の通知を受けたとき、第１のコンテンツの出力終了を要求し、通知手段から第１のコンテンツの切り替え終了の通知を受けたとき、第２のコンテンツの出力開始を要求することを特徴とする。